(57)【要約】【課題】導電性パターンの誤認識を防止する。【解決手段】静電容量方式のタッチパネルが読み取り可能な面を有する指示デバイスであって、一の面に設けられる１又は複数の電極と、一の面とは異なる二の面に設けられ、電極に接続される平面アンテナと、を有し、二の面は、一の面がタッチパネルに接触している状態で、タッチパネルに接触しない位置に設けられている。【選択図】図１
2020102268.tif 000002
【特許請求の範囲】
【請求項１】
静電容量方式のタッチパネルが読み取り可能な面を有する指示デバイスであって、
一の面に設けられる１又は複数の電極と、
前記一の面とは異なる二の面に設けられ、前記電極に接続される平面アンテナと、
を有し、
前記二の面は、前記一の面が前記タッチパネルに接触している状態で、前記タッチパネ
ルに接触しない位置に設けられている、指示デバイス。
【請求項２】
前記二の面は、前記一の面の反対側に設けられ、
前記一の面と前記二の面の周縁部または前記一の面と前記二の面を貫通するスルーホー
ルで前記電極と前記平面アンテナとが接続される、請求項１に記載の指示デバイス。
【請求項３】
少なくとも前記一の面の周縁部に設けられ、前記タッチパネルのセンサ間隔の対角線以
上の幅を有する外枠部を、さらに有する請求項２に記載の指示デバイス。
【請求項４】
前記一の面と前記二の面には段差が設けられ、前記タッチパネルに接触する所定段に前
記電極が設けられ、
前記タッチパネルに非接触の他の段に前記平面アンテナが設けられる、請求項１に記載
の指示デバイス。
【請求項５】
複数の前記電極は、所定半径の円周上に配置される、請求項１乃至４いずれか一項に記
載の指示デバイス。
【請求項６】
静電容量方式のタッチパネルが読み取り可能な１以上の面を有する指示デバイスの製造
方法であって、
電極及び平面アンテナを有する一枚のシートを、段差を有する一の面に当て、
前記段差を用いて、前記タッチパネルに接触する面に前記電極が設けられ、前記タッチ
パネルに非接触する面に前記平面アンテナが設けられるように、前記シートを前記一の面
に形成する、
製造方法。
【発明の詳細な説明】
【技術分野】
【０００１】
本発明は、指示デバイス、及び製造方法に関する。
【背景技術】
【０００２】
従来、複数の同時タッチ入力を検出可能にするタッチパネルとして、マトリクス状に配
置されたセンサの電荷の変化を読み取る静電容量方式が知られている（例えば、特許文献
１参照）。
【先行技術文献】
【特許文献】
【０００３】
【特許文献１】特開２０１１−１３８４６９号公報
【発明の概要】
【発明が解決しようとする課題】
【０００４】
従来のタッチパネル技術では、人の指でタッチパネルにタッチすることが想定されてお
り、フローティング導電材料などを用いた導電性パターンの読み取りは想定されていない
。そこで、発明者は、フローティング導電材料などの導電性パターンを有する指示デバイ
スを用いて、この指示デバイスを人がタッチパネルの上に置き、タッチパネルにより指示
デバイスを読み取ることを検討した。
【０００５】
しかしながら、タッチパネルは、フローティング導電材料に基づく静電容量よりも大き
い容量を有する手や、近接のフローティング導電材料などに反応してしまい、導電性パタ
ーンとは異なるパターンを読み取ってしまうこと（誤認識）があることが判明した。
【０００６】
そこで、本発明は、導電性パターンの誤認識を低減させることができる指示デバイスを
提供することを目的の一つとする。
【課題を解決するための手段】
【０００７】
本発明に係る指示デバイスは、静電容量方式のタッチパネルが読み取り可能な面を有す
る指示デバイスであって、一の面に設けられる１又は複数の電極と、前記一の面とは異な
る二の面に設けられ、前記電極に接続される平面アンテナと、を有し、前記二の面は、前
記一の面が前記タッチパネルに接触している状態で、前記タッチパネルに接触しない位置
に設けられている。
【発明の効果】
【０００８】
本発明によれば、導電性パターンの誤認識を低減させる指示デバイスを提供することが
できる。
【図面の簡単な説明】
【０００９】
【図１】実施形態におけるタッチセンサシステムの一例を示す概念図である。
【図２】実施形態におけるタッチパネルの一部平面構成例を模式的に示す図である。
【図３】（Ａ）は、静電容量方式のタッチセンサシステムの等価回路図であり、（Ｂ）は指タッチによる容量検知方式を説明するための等価回路図である。
【図４】（Ａ）は、ドライブラインに印加する駆動信号がロー電圧の場合を示す等価回路図であり、（Ｂ）はドライブラインに印加する駆動信号がハイ電圧の場合を示す等価回路図である。
【図５】所定の導電性パターンの検出例を示す平面図である。
【図６】仮想接地部が接続される所定の導電性パターンの検出例を示す平面図である。
【図７】例Ａの指示デバイスの平面図である。
【図８】例Ａの指示デバイスの斜視図である。
【図９】例Ｂの指示デバイス一例を示す図である。
【図１０】電極及び仮想接地部の一例を示す図である。
【図１１】例Ｃの指示デバイスの平面図である。
【図１２】例Ｃの指示デバイスの斜視図である。
【図１３】導電性パターンのレイアウトの一例を示す図である。
【図１４】円周上に配置された電極によるコード情報の一例を示す図である。
【図１５】（Ａ）は、矩形状の基材から指示デバイス２０Ｂを製造する例であり、（Ｂ）は、円形状の基材から指示デバイス２０Ｃを製造する例である。
【図１６】（Ａ）は、円形状の基材から指示デバイス２０Ｃを製造する例であり、（Ｂ）は、矩形状の基材から指示デバイス２０Ｃを製造する例である。
【図１７】実施形態におけるタッチセンサシステムの全体構成の一例を示す図である。
【図１８】制御部の機能構成の一例を示す図である。
【図１９】実施形態における処理端末の機能構成の一例を示す図である。
【図２０】指示デバイスの位置及び角度により、キャラクタが適切に表示される例を説明するための図である。
【図２１】指示デバイスの固有ＩＤを認識する例を説明するための図である。
【図２２】指示デバイスの認識と、タッチパネルとの連動を説明するための図である。
【図２３】実施形態に用いられる指示デバイスの形状例を示す図である。
【図２４】実施形態における制御部の処理の一例を示すフローチャートである。
【図２５】実施形態における表示制御処理の一例を示すフローチャートである。
【発明を実施するための形態】
【００１０】
以下、図面を参照して本発明の実施の形態を説明する。ただし、以下に説明する実施形
態は、あくまでも例示であり、以下に明示しない種々の変形や技術の適用を排除する意図
はない。即ち、本発明は、その趣旨を逸脱しない範囲で種々変形（各実施例を組み合わせ
る等）して実施することができる。また、以下の図面の記載において、同一または類似の
部分には同一または類似の符号を付して表している。図面は模式的なものであり、必ずし
も実際の寸法や比率等とは一致しない。図面相互間においても互いの寸法の関係や比率が
異なる部分が含まれていることがある。
【００１１】
［実施形態］
以下、本発明の実施形態におけるタッチセンサシステムを、図面を用いて説明する。
【００１２】
＜タッチセンサシステムの概要＞
図１は、実施形態におけるタッチセンサシステム１の一例を示す概念図である。図１に
示す例において、タッチセンサシステム１は、タッチパネル１０を含み、このタッチパネ
ル１０の画面に対向して、指示デバイス２０が載置される。なお、タッチセンサシステム
１は、指示デバイス２０を含んでもよいし、別構成として含まなくてもよい。
【００１３】
指示デバイス２０は、タッチパネル１０の画面に対向して配置されうる、所定形状の導
電性パターン（以下、単に「パターン」とも称す。）２２を有する。例えば、指示デバイ
ス２０が、指などの指示体の位置入力操作を可能とするタッチセンサシステム１のタッチ
パネル１０の画面に対して接触され、又は近づけられることにより、タッチセンサシステ
ム１は、後述の所定形状の導電性パターン２２を読み取ることができる。
【００１４】
導電性パターン２２は、１又は複数の電極の位置に基づき形成される。例えば、この電
極は、導電性材料としてのＩＴＯ（Indium Tin Oxide）などの透明電極が用いられたり、
アルミニウムなどのベタ電極が用いられたりする。
【００１５】
なお、導電性パターン２２は、セキュリティの観点から、導電性材料として透明電極を
用いて外部から容易に視認できないようにするとよい。また、導電性パターン２２の導電
性材料として透明電極以外のものが用いられる場合は、導電性パターン２２の表面を不透
明部材（樹脂等）にてコーティングするなどして外部から視認できないようにしてもよい
。
【００１６】
また、導電性パターン２２は、タッチパネル１０の面からの平面視形状として、各電極
を散在させることにより各種パターンが形成される。この導電性パターン２２の形状は、
ユーザや指示デバイス２０を識別するための固有ＩＤ情報や、位置や角度を示す設置情報
などのコード情報を表す。導電性パターン２２の形状の違いを用いて固有ＩＤ情報等を表
すことで、タッチパネル１０のセンサから読み取る信号の変化により導電性パターン２２
か否かの識別を行うことができる。
【００１７】
また、指示デバイス２０は、導電性パターン２２が形成される面側をタッチパネル１０
のセンサ画面上に置くことが望ましい。これにより、タッチパネル１０のセンサ画面から
導電性パターン２２の形状が読み取られやすくなる。導電性パターン２２は、平面又は立
体等の形ある部材としての指示デバイス２０の一面に配置されればよい。
【００１８】
次に、タッチパネル１０の一部平面の構成について説明する。図２は、タッチパネル１
０の一部平面構成例を模式的に示す図である。図２に示す例では、静電容量方式のタッチ
パネル１０において、Ｙ方向に略平行に配置された複数のドライブラインＬ１１〜１４に
駆動信号と呼ばれる交流信号が印加される。また、Ｘ方向に略平行に配置された複数のセ
ンスラインＬ２１〜２４は、各ドライブラインと略直角に立体交差し、各交差点（各セン
サ）Ｐの電流信号波形の変化が検知される。つまり、各交差点Ｐのそれぞれの場所で静電
容量Ｃの変化が検知される。
【００１９】
このとき、タッチパネル１０のセンサ面上に何も指示体（指と同等のものを含む）が置
かれていないときと、指示体が置かれたときとでは、対応する交差点の電流信号波形が増
減する。タッチセンサシステム１は、この波形の増減を読み取って、この変化量を静電容
量Ｃの変化量とする。なお、ドライブラインＬ１１〜１４と、センスラインＬ２１〜２４
とが反転されてもよく、駆動信号を印加するラインと、センシングするラインとが交互に
入れ替えられてもよい。
【００２０】
（指タッチによる容量検知）
図３（Ａ）は、静電容量方式のタッチセンサシステム１の各交差点に対応する等価回路
図である。図３（Ｂ）は、指タッチによる容量検知方式を説明するための等価回路図であ
る。
【００２１】
図３（Ａ）に示す例では、静電容量方式のタッチセンサシステム１は、駆動電圧をドラ
イブラインに印加し、センスラインで電流Ｉを検知し、その検知電流Ｉが変化（容量Ｃの
変化）したかどうかでタッチ位置を読み取る。この場合、タッチパネル１０のセンサ面上
にユーザの指が触れると、図３（Ｂ）に示すように、容量Ｃの両端に並列に容量Ｃ１及び
Ｃ２を介して接地されたものとみなすことができる。
【００２２】
このタッチセンサシステム１のタッチパネル１０のセンサ面上に何も置かれていない状
態と比較すると、図３（Ｂ）に示すように、ユーザの指などの指示体５がセンサ面上に置
かれた状態では、タッチセンサシステム１は、容量Ｃの両端に容量Ｃ１及びＣ２を並列に
介して接地される。そのため、指示体５が置かれていない状態に比べ、電流計Ａに流れる
電流Ｉ２は、電流Ｉ１の分だけ電流Ｉよりも減少する。この電流の減少により静電容量Ｃ
も減少する。したがって、タッチセンサシステム１は、静電容量Ｃが減少した交差点の位
置で指タッチがなされたものと判定することができる。
【００２３】
（指示デバイス２０のタッチによる容量検知）
図４は、静電容量方式のタッチセンサシステム１のタッチパネル１０のセンサ画面上の
１か所の交差点（センサ）に指示デバイス２０を置いた状態の等価回路図を表す。図４（
Ａ）は、ドライブラインに印加する駆動信号がロー電圧の場合を示す等価回路図である。
図４（Ｂ）は、ドライブラインに印加する駆動信号がハイ電圧の場合を示す等価回路図で
ある。
【００２４】
図４（Ａ）及び（Ｂ）に示すように、静電容量方式のタッチセンサシステム１のタッチ
パネル１０上に、導電性パターン２２を有する指示デバイス２０が置かれた場合には、タ
ッチセンサシステム１の駆動のドライブラインとセンスラインに並列に浮遊容量Ｃ３が挿
入された状態と等価な回路になる。この状態で、ドライブラインへの交流の駆動信号がロ
ー電圧からハイ電圧、ハイ電圧からロー電圧へと反転するときには、容量Ｃと浮遊容量Ｃ
３の並列回路には電流が流れて、チャージされた容量Ｃ及び浮遊容量Ｃ３の電荷が指示デ
バイス２０側からタッチセンサシステム１側に流れたり、容量Ｃ及び浮遊容量Ｃ３にチャ
ージするための電荷がタッチセンサシステム１側から指示デバイス側に流れたりする。こ
のため、センスラインを介して電流計Ａに流れる電流が増加する。これにより静電容量が
増加したと判断される。
【００２５】
すなわち、タッチパネル１０上を指でタッチする場合には、指側に電流が流れてセンシ
ングされる電流Ｉは減少する。この電流の減少により静電容量Ｃも減少する。この現象を
利用して、タッチセンサシステム１は、静電容量Ｃが減少した位置で指タッチが為された
ものと判定する。
【００２６】
これに対し、指示デバイス２０の場合には、指示デバイス２０側から電流が流れて、セ
ンシングされる電流Ｉが増加する。これにより、タッチセンサシステム１は、静電容量が
増加したと判定する。
【００２７】
このように、指でタッチパネル１０をタッチした場合は、交差点（センサ）における静
電容量Ｃが減少方向に変化し、導電性パターン２２を有する指示デバイス２０がタッチパ
ネル１０にタッチした場合には、交差点における静電容量Ｃが増加方向に変化する。
【００２８】
（ゴーストと呼ばれる干渉を抑えるための仮想接地部）
図５は、所定の導電性パターン２２の検出例を示す平面図である。所定の導電性パター
ン２２とは、例えば直径２０ｍｍの円形のパターンである。
【００２９】
図５に示す例は、タッチセンサシステム１のタッチパネル１０上に、所定の導電性パタ
ーン２２単体を接触させた状態で、センサにより得られる容量信号マップを示している。
図５に示す例では、タッチパネル１０の格子（交差点）の間隔（センサピッチ）は縦横５
ｍｍとする。中央の円形の導電性パターン２２を検出する検出領域４４の周辺領域に、公
知のゴーストと呼ばれる検出領域４５が検出される。このゴーストを防止するための手段
として、実施形態では、導電性パターン２２に仮想接地部（又は仮想接地化回路部）が接
続されることを採用する。
【００３０】
図６は、仮想接地部が接続される所定の導電性パターン２２の検出例を示す平面図であ
る。図６に示す例は、仮想接地部が導電性パターン２２に接続して実装され、タッチセン
サシステム１のタッチパネル１０上に、導電性パターン２２を接触させた状態でセンサに
より得られる容量信号マップを示している。
【００３１】
図６に示す例では、仮想接地部を導電性パターン２２に接続させることにより、導電性
パターン２２を検知する信号が安定化して、ゴーストの発生を抑制し、導電性パターン２
２のサイズと等しいサイズと形とで円形状の検出領域４６を適切に読み取ることができる
ようになる。
【００３２】
仮想接地部を用いることにより、接地されていない指示デバイスであっても指示デバイ
スが仮想接地化されて、接地回路と同等の機能を持つため、ゴーストをタッチセンサシス
テム１側で補正する必要がなく、ゴーストを指示デバイス２０側で改善することができる
。
【００３３】
また、仮想接地部を用いることにより、タッチセンサシステム１のＧＮＤに接地した接
地状態で導電性パターン２２の識別をした場合と同等の効果が得られることが発明者らの
実験により分かっている。
【００３４】
また、仮想接地部を用いることにより、既存のタッチセンサシステム１を適用すること
ができ、指やタッチペンと指示デバイス２０とを併用してタッチ位置の識別とともに、伝
導性パターン２２の識別を行うことができる。
【００３５】
＜指示デバイスの例＞
次に、実施形態で用いる指示デバイス２０の例について説明する。以下に説明する各指
示デバイス２０は、ゴースト対策として、仮想接地部を採用しており、仮想接地部の形状
や設けられる領域などが異なる。また、以下に説明するとおり、各指示デバイス２０は、
フローティング導電材料に基づく静電容量よりも大きい容量を有する手又は近接のフロー
ティング導電材料などに基づく導電性パターン２２の誤認識の対策が行われる。なお、タ
ッチセンサシステム１による導電性パターン２２の誤認識は、タッチセンサシステム１側
の誤反応とも称する。以下では、タッチパネル１０に指示デバイス２０を載置した時の指
示デバイス２０の上面を表面と称し、下面を裏面と称する。
【００３６】
（例Ａ）
図７及び図８を用いて、指示デバイス２０Ａの一例を説明する。図７は、指示デバイス
２０Ａの平面図である。図８は、指示デバイス２０Ａの斜視図である。図７及び図８に示
す指示デバイス２０Ａは、カード状部材（基材）の所定面（二の面、表面）の所定領域に
、平面アンテナを構成する仮想接地部Ｆ１０が設けられる。例えば、仮想接地部Ｆ１０と
して、所定サイズ以上の平面の導電体（ベタの導電体）が用いられる。この平面アンテナ
から電波を放出することで、指示デバイス２０が上部に存在しない近隣のセンサに対し、
電流が流れ込むことを防ぎ、ゴーストの発生を低減させることができる。
【００３７】
指示デバイス２０Ａは、表面の仮想接地部Ｆ１０に接続される、１又は複数の電極Ｅ１
０が、所定面とは異なる他の面（一の面、反対側の面（裏面））に設けられる。１又は複
数の電極Ｅ１０の位置関係が、導電性パターン２２のパターン形状の違いを構成する。図
７及び図８に示すように、指示デバイス２０Ａの表面の仮想接地部Ｆ１０から裏面に向け
て足状に導体が延びており、裏面に形成されるその先端部分が電極Ｅ１０として機能する
。
【００３８】
指示デバイス２０Ａは、ユーザの手に保持されて、裏面がタッチパネル１０に対向して
載置されることが想定されている。このとき、ユーザの手の容量が大きいために、たとえ
指示デバイス２０Ａ越しにタッチパネルに触れたとしても、指示デバイス２０Ａの厚みが
充分でない場合は、仮想接地部Ｆ１０がなければ、タッチパネル１０においてユーザの手
の容量に起因して誤反応が発生していた。しかし、ユーザの手とタッチパネル１０との間
に仮想接地部Ｆ１０が位置する構造にすることで、これがシールドの役割を担うことにな
り、ユーザの手の容量によるタッチパネル１０の誤反応を防ぐことができるようになる。
【００３９】
なお、指示デバイス２０Ａが複数タッチパネル１０上に載置される場合、他の指示デバ
イス２０Ａと近接することで、他の指示デバイス２０Ａの電極の影響を受けて、誤認識又
は誤反応を起こすことがあることが発明者らの実験等により分かっている。そこで、次の
指示デバイス２０Ｂの構成により、この問題を解決する。
【００４０】
（例Ｂ）
図９は、指示デバイス２０Ｂの一例を示す図である。図９に示す指示デバイス２０Ｂは
、外枠部Ｂ１０（額やベゼルとも称してもよい）を有し、この外枠部Ｂ１０は、非導電性
であり、例えば図７及び図８で説明したカード状の指示デバイス２０Ａ（Ｃ１０）の少な
くとも一の面（電極が設けられる面）の周縁部に設けられ、タッチパネル１０のセンサピ
ッチ以上の幅Ｗを有する。例えば、幅Ｗは、センサピッチが５ｍｍとした場合、センサピ
ッチの対角線以上の幅（８ｍｍ）を有する。なお、外枠部は、指示デバイス２０Ｂと一体
でも別体でもいずれでもよい。一体とする場合は、電極の位置に指示デバイス２０Ｂを貫
通するスルーホールを空け、そこで仮想接地部Ｆ１０と電気的に接続するようにするが、
別体とする場合は、指示デバイス２０Ｂの外周部を回り込むようにして仮想接地部Ｆ１０
と電気的に接続する。
【００４１】
これにより、或る指示デバイス２０Ｂに他の指示デバイス２０Ｂが近接したとしても、
或る指示デバイス２０Ｂの電極をセンシングするセンサが、他の指示デバイス２０Ｂの電
極をセンシングすることを防止することができる。また、人が指示デバイス２０を載置す
る際に、電極付近を保持したまま指示デバイス２０が載置されることを防ぐことができる
。よって、指示デバイス２０Ｂの構成によれば、他の指示デバイス２０が近接することに
起因して、近接の指示デバイス２０の電極の影響を受けて、誤認識や誤反応が起こること
を防止することができ、人が電極付近を保持することも防止することができる。
【００４２】
ここで、図７〜９で説明した電極や、平面の仮想接地部をカード状の部材に形成する方
法について説明する。図１０は、電極Ｅ１２及び仮想接地部Ｆ１２の一例を示す図である
。図１０に示す例において、電極Ｅ１２及び仮想接地部Ｆ１２は、導電領域として形成さ
れるＩＴＯフィルムとする。このＩＴＯフィルムを電極Ｅ１２がカード状部材の裏面にな
るように巻きつけることで、指示デバイス２０Ａ（Ｃ１０）が形成される。
【００４３】
なお、上述した例Ａ及び例Ｂは、仮想接地部が、タッチパネル１０に接触しないように
、電極が設けられる面とは反対側の面（表面）に設けられている。これを実現するために
は、カード状部材にフィルムを巻きつけるなどの複雑な工程が発生する。また、各面に電
極や仮想接地部が設けられるため、各面を保護するための保護フィルムを形成したりすれ
ば、工数がさらに嵩んでしまう。そこで、簡易な製造工程により製造される、上述した例
Ａや例Ｂの指示デバイスと同様の効果を生じる指示デバイス２０Ｃについて説明する。
【００４４】
（例Ｃ）
図１１及び図１２を用いて、指示デバイス２０Ｃの一例を説明する。図１１は、指示デ
バイス２０Ｃの平面図である。図１２は、指示デバイス２０Ｃの斜視図である。図１１及
び図１２に示す指示デバイス２０Ｃは、円形の部材の所定面（領域）に段差ＳＴが設けら
れており、その面に、タッチパネル１０に接触する領域（一の面、第１領域又は接触領域
）Ｐ２２と、非接触する領域（二の面、第２領域又は非接触領域）Ｐ２０とが設けられる
。すなわち、指示デバイス２０Ｃがタッチパネル１０に載置される場合、接触領域はタッ
チパネル１０に接触するが、非接触領域はタッチパネル１０に接触しない。指示デバイス
２０Ｃにおいて、接触領域Ｐ２２に１又は複数の電極Ｅ２０が設けられ、非接触領域Ｐ２
０に電極Ｅ２０に接続される仮想接地部Ｆ２０が設けられる。なお、指示デバイス２０Ｃ
の段差構造は、図１２のように中央部を高くするようにしても、また外周部を高くしても
何れでも良く、更には、電極Ｅ２０の位置に合わせて段差を設けるように構成されていれ
ばよい。
【００４５】
図１１及び図１２に示すように、指示デバイス２０Ｃの一方の面に、電極Ｅ２０と仮想
接地部Ｆ２０とを設けることで、一方向から、電極Ｅ２０及び仮想接地部Ｆ２０を所定面
に形成することができる。これにより、製造工程が簡易になり、工数が嵩むことを防ぐこ
とができる。
【００４６】
例えば、電極や仮想接地部が金属シートで形成されていれば、接触領域及び非接触領域
を有する所定面に金属シートをプレス加工することで指示デバイス２０Ｃを形成すること
ができる。また、電極や仮想接地部がＩＴＯフィルムで形成されていれば、接触領域及び
非接触領域を有する所定面にＩＴＯフィルムを貼付することで指示デバイス２０Ｃを形成
することができる。また、電極や仮想接地部が導電膜で形成されるのであれば、接触領域
及び非接触領域を有する所定面にこの膜を成膜することで、指示デバイス２０Ｃを形成す
ることができる。なお、単にシートというときは、金属シート、ＩＴＯフィルム、及び導
電膜を含む。この指示デバイス２０Ｃは、例Ａ及び例Ｂのようなカード状部材よりも厚み
を有しているため、指示デバイスの用途としては、チェスの駒やフィギュア等の裏面に設
けるようにすることが望ましい。
【００４７】
＜パターンの形状＞
本実施形態において、パターンの認識が安定しない電極のレイアウトがありうる。この
理由として、同一のドライブライン／センスライン上に複数の電極が並ぶと、端部にいく
ほど感度が落ちるということが発明者の実験により分かっている。これは、人体のような
大きい容量のものなら問題ないが、指示デバイス２０の浮遊容量の場合は容量が小さいた
め、このレイアウトによる悪影響を受けてしまう。そこで、レイアウトを調整して、多数
の電極が同一のライン上及び直交するライン上に並ばないようにする。
【００４８】
図１３は、導電性パターン２２のレイアウトの一例を示す図である。図１３（Ａ）は、
レイアウト１を示す図である。図１３（Ａ）に示す指示デバイス２０Ｄは、正方形型であ
り、各電極は、同一ライン及び直交するラインに並ぶ数が一定数以下になるよう配置する
。これにより、ドライブライン／センスライン上に電極が並ぶように指示デバイス２０Ｄ
をタッチパネル１０上に載置したとしても、必要な感度が確保されるためコード認識（パ
ターンの読取）が安定することが確認されている。
【００４９】
図１３（Ｂ）は、導電性パターン２２のレイアウト２を示す図である。指示デバイス２
０Ｅは、円型であり、各電極は、円周上に配置されることで、各ラインに電極が分散され
るため、同一ライン及び直交するラインには最大で２つしか並ばない。これにより、コー
ド認識が安定することが確認されている。また、円周上に電極が配置される場合、指示デ
バイス２０を回転させても、同一ライン及び直交するラインには最大で２つしか並ばない
ため、指示デバイス２０が回転される場合でも、コード認識を適切に行うことができる。
なお、図１３（Ａ）及び（Ｂ）に示すレイアウトにおいて、各電極は、円周上に配置され
るとも言える。
【００５０】
上述したように、導電性パターン２２のレイアウトを工夫することで、パターンの形状
の認識を安定させることができる。
【００５１】
＜コード情報の例＞
次に、導電性パターン２２により表されるコード情報について説明する。図１４は、円
周上に配置された電極によるコード情報の一例を示す図である。
【００５２】
電極Ｅ３１〜３３は、指示デバイス２０の位置（ｘ，ｙ）と向き（角度：θ）を認識す
るためのものである。電極Ｅ３１〜３３から形成される三角形の位置や向きに基づき、タ
ッチパネル１０に対する指示デバイス２０の位置や向きが判定されうる。この三角形の形
状を固定にしておくこと、タッチセンサシステム１は、電極Ｅ３１〜３３を認識すること
ができる。
【００５３】
また、電極Ｅ４１〜４６は、ＩＤを示すためのものである。この電極Ｅ４１〜４６のパ
ターン等を用いて、指示デバイス２０のＩＤや、ユーザのＩＤなどを表すことができる。
電極Ｅ５１は、パリティチェック用のビットである。
【００５４】
＜指示デバイス２０の製造工程＞
次に、指示デバイス２０の形状の違いによる製造工程の変化について説明する。図１５
は、図９等を用いて説明した指示デバイス２０Ｂの製造工程の一例を示す図である。図１
５（Ａ）は、矩形状の基材から指示デバイス２０Ｂを製造する例であり、図１５（Ｂ）は
、円形状の基材から指示デバイス２０Ｂを製造する例である。
【００５５】
以下、指示デバイス２０Ｂの製造工程を簡単に説明する。
（１）基材（例えば透明ＰＥＴ材）を準備する。
（２）電極や仮想接地部を有するフィルムを、基材を包むように貼りつけ、又は電極や仮
想接地部を有する（透明）導電膜を、基材を包むように成膜する。
（３）（２）の基材に外枠をはめ込む。
（４）（３）の基材に保護フィルム、ハードコード、又は保護部材を形成する。
【００５６】
上記製造工程により、図９を用いて説明した指示デバイス２０Ｂを製造することができ
、ユーザの手による指示デバイスの接触又は指示デバイス同士の近接などによるタッチセ
ンサシステム１の誤認識を防ぐことができる。なお、指示デバイス２０Ａは、（３）の工
程を省くことで製造が可能である。
【００５７】
図１６は、図１１及び図１２等を用いて説明した指示デバイス２０Ｃの製造工程の一例
を示す図である。図１６（Ａ）は、円形状の基材から指示デバイス２０Ｃを製造する例で
あり、図１６（Ｂ）は、矩形状の基材から指示デバイス２０Ｃを製造する例である。図１
６に示す例では、所定面に段差を有する基材に対し、矢印の方向から金属シートをプレス
加工したり、フィルムを貼付したり、導電膜を成膜したりする。金属シート、フィルム及
び導電膜には、電極や仮想接地部が形成される。
【００５８】
これにより、図１６に示す製造工程では、一方向から電極及び仮想接地部の両方を形成
することができるため、図１５に示す製造工程のように、指示デバイス２０を包むように
電極又は仮想接地部を形成したり、両面を保護したりする必要がない。したがって、簡易
な製造工程により、指示デバイスを製造することができる。
【００５９】
＜タッチセンサシステムの全体構成例＞
図１７は、実施形態におけるタッチセンサシステム１の全体構成の一例を示す図である
。図１７に示す例では、タッチセンサシステム１は、タッチパネル１０を含む表示装置２
と、制御部６を含む制御基板４と、処理端末８とを備える。タッチパネル１０は、フレキ
シブルプリント基板（ＦＰＣ）などで制御基板４に接続される。制御部６は、制御基板４
を介して接続された接続ケーブルを用いて、処理端末８に接続される。処理端末８は、表
示装置２に接続される。
【００６０】
表示装置２は、画像表示用の表示画面を有し、表示画面上にはタッチパネル１０が設け
られる。表示装置２は、例えば、液晶ディスプレイやプラズマディスプレイ、有機ＥＬデ
ィスプレイ及び電解放出ディスプレイなどの他に、表示画面上に表示されるものであれば
いずれのものを用いてもよい。
【００６１】
タッチパネル１０は、タッチパネル面に沿って互いに平行に設けられると共に、それぞ
れにドライブ信号が与えられる複数のドライブラインを有し、さらに、複数のドライブラ
インと交差するようにタッチパネル面に沿って互いに平行に設けられた複数のセンスライ
ンとを有している。「交差」とは、立体交差を示し、垂直交差及びそれ以外の角度による
交差を含む。
【００６２】
このタッチパネル１０は、接触又は近接する指示体（指やタッチペン）や、指示デバイ
ス２０による静電容量の変化に応じた出力信号を出力する。複数のセンスラインからの複
数の出力信号は、ドライブラインが駆動されることにより、タッチパネル面内のドライブ
ラインとセンスラインの交差点やその近傍部分を介して出力される信号である。
【００６３】
タッチパネル面内に、指や指示デバイス２０が接触又は近接していればセンスラインか
らの信号が変化する。すなわち、このセンスラインで得られた信号が、指示検出領域（タ
ッチパネルの領域）に対する接触又は近接の有無を示す２次元状の指示検出領域の位置座
標（ｘ，ｙ）と、指や指示デバイス２０による静電容量の情報（ｗ）を示す３次元座標情
報を示す信号となる。静電容量の情報（ｗ）のＷ値が小さくなるほど、静電容量値を示す
信号レベルは小さくなる。
【００６４】
制御部６は、例えばプロセッサなどであり、各ドライブラインを駆動すると共に、各セ
ンスラインからの信号を処理してタッチパネル面内における指示デバイス２０等の接触位
置（導電性パターンの検出領域）を検出する。
【００６５】
処理端末８は、例えばパーソナルコンピュータなどであり、接続ケーブルを介して制御
部６を制御するとともに、制御部６で検知した指示デバイス２０の位置座標（ｘ，ｙ）及
び静電容量の情報（ｗ）に基づいて、表示装置２の表示画面上に表示される画像を表示制
御可能とする。
【００６６】
また、タッチセンサシステム１に接続された処理端末８は、クラウドサービスのように
サーバ側に備えられてもよく、タッチセンサシステム１自体に処理端末８の機能を持たせ
て表示を制御することも可能である。
【００６７】
≪制御部６の構成≫
図１８は、図１７に示す制御部６の機能構成の一例を示す図である。図１８に示す例で
は、制御部６は、駆動部１０２、増幅部１０４、信号取得部１０６、変換部１０８、処理
部１１０、設定部１１２、及び生成部１１４を含む。駆動部１０２は、ドライブラインに
順次印加して駆動する。
【００６８】
増幅部１０４は、複数のセンスラインから出力される複数の出力信号をそれぞれ増幅し
、増幅した各出力信号を出力する。
【００６９】
信号取得部１０６は、増幅部１０４により増幅された各出力信号を取得して時分割によ
りアナログ信号を出力する。
【００７０】
変換部１０８は、信号取得部１０６により出力されたアナログ信号をデジタル信号に変
換し、変換後のデジタル信号を出力する。
【００７１】
処理部１１０は、変換部１０８により変換されたデジタル信号に基づいて、タッチパネ
ル１０の面（検出面）内における静電容量の変化量の分布を求め、この分布を出力する。
【００７２】
設定部１１２は、タッチパネル１０の面内における指等の接触位置を示す位置情報（ｘ
，ｙ）や導電性パターンの検出領域の位置情報（ｘ，ｙ）を検出する際に用いる容量の閾
値Ｔｈなどを事前に設定する。
【００７３】
生成部１１４は、処理部１１０が求めた静電容量の変化の分布に対して、各閾値に基づ
き、指等の接触位置を示す位置情報や、指示デバイス２０の導電性パターン２２の位置情
報を生成する。
【００７４】
生成部１１４は、タッチパネル１０面内における静電容量の変化量の分布中にタッチ位
置またはタッチ領域（導電性パターン２２の形状）を求め、このタッチ位置またはタッチ
領域における静電容量の変化量が閾値Ｔｈよりも大きければ、このタッチ位置またはタッ
チ位置領域を、タッチパネル１０面に接触または近接する指示体のタッチ位置またはタッ
チ領域とすることができる。
【００７５】
タッチパネル面で、静電容量の変化を検知した検出領域が所定領域よりも大きい場合や
、検出領域が所定形状と異なる場合に、指やタッチペンではなく指示デバイス２０である
と認識すれば、その導電性パターンの形状をコード照合に用いることができる。このよう
に、指やタッチペンと、指示デバイス２０との区別は、検出領域の大きさだけではなく、
所定形状（形状の違い）によっても可能である。
【００７６】
なお、複数のドライブラインと複数のセンスラインを縦横で切り替えることも可能であ
り、上部電極をドライブライン、下部電極をセンスラインとしてもよいし、上部電極をセ
ンスライン、下部電極をドライブラインとしてもよい。
【００７７】
≪処理端末８の構成≫
次に、処理端末８の機能構成について説明する。図１９は、実施形態における処理端末
８の機能構成の一例を示す図である。図１９に示す処理端末８は、パターン取得部２０２
、コード認識部２０４、表示制御部２０６、及び操作制御部２０８を含む。なお、処理端
末８の各部は、プロセッサやワークメモリとしてのＲＡＭなどにより実装されうる。
【００７８】
パターン取得部２０２は、制御基板４の制御部６により出力された導電性パターン２２
を取得し、取得した導電性パターン２２を出力する。
【００７９】
コード認識部２０４は、パターン取得部２０２が出力した導電性パターン２２に基づい
てコード情報を認識する。コード認識部２０４は、各種パターンとそのパターンに対応す
るコード情報の対応テーブル等を予め保持しておく。コード認識部２０４は、取得した導
電性パターンと、対応テーブルのパターンとを照合し、照合の結果、一致したパターンに
対応するコード情報を認識する。
【００８０】
また、コード認識部２０４は、導電性パターン２２により、指示デバイス２０の位置及
び向き（角度）を認識する。コード認識部２０４は、認識した情報を表示制御部２０６に
出力する。なお、コード情報は、指示デバイス２０の固有ＩＤ、位置、及び角度を含んで
もよい。
【００８１】
表示制御部２０６は、コード認識部２０４により認識されたコード情報に基づいて、表
示装置２の表示画面に対する表示制御を行う。例えば、表示制御部２０６は、コード情報
と表示情報とを関連付けて保持しておき、取得したコード情報に対応する表示情報を、指
示デバイス２０の接触位置に関連する位置に表示するよう制御する。
【００８２】
より具体的には、表示制御部２０６は、コード情報に対応するキャラクタを、指示デバ
イス２０の位置と向きに基づいて、指示デバイス２０内に表示するよう制御する。このと
き、導電性パターン２２は、ＩＴＯなどの透明電極が用いられ、指示デバイス２０も、透
明デバイスが用いられるとよい。
【００８３】
また、表示制御部２０６は、指示デバイス２０の位置に基づいて、操作メニューや操作
ボタン等を表示画面上に表示するよう制御する。また、指示デバイス２０上からのタッチ
が検知可能であるため、表示制御部２０６は、指示デバイスの領域内に操作ボタン等を表
示するよう制御してもよい。
【００８４】
操作制御部２０８は、タッチパネル１０における、ユーザの指などのタッチ等に基づく
操作制御を行う。例えば、操作制御部２０８は、指示デバイス２０に関連する操作メニュ
ーや操作ボタンが操作された場合に、その操作に対応する制御を行う。例えば、ゲーム等
において、操作制御部２０８は、操作ボタンに基づくゲームの進行を制御したりする。
【００８５】
また、表示制御部２０６は、操作制御部２０８による操作制御に基づいて表示画面に表
示される表示物の制御を行う。例えば、表示制御部２０６は、表示画面にゲームの実行画
面を表示し、タッチパネル１０を介して表示される操作ボタンの押下に基づき、ゲームの
実行画面を制御する。
【００８６】
＜ゲームの具体例＞
次に、上述したタッチセンサシステム１を用いたゲームについて、図２０〜２２を用い
て説明する。ここでは、表示画面にはサッカーのフィールドが表示され、指示デバイス２
０の領域内にはキャラクタが表示されるとする。また、指示デバイス２０は透明部材又は
透過部材であり、導電性パターンもＩＴＯなどの透明電極により形成されるとする。ここ
で、「透明」及び「透過」とは、その部材を通して先のものが視認できる透過具合（半透
明状態）も含む。
【００８７】
図２０は、指示デバイス２０の位置及び角度により、キャラクタが適切に表示される例
を説明するための図である。図２０に示す例では、コード認識部２０４により、認識され
る指示デバイス２０の位置及び角度並びに固有ＩＤに基づいて、表示制御部２０６により
、タッチパネル１０の指示デバイス２０が配置される領域近傍に、指示デバイス２０に対
して相対的に固定された向きに、固有ＩＤに対応するキャラクタを表示することができる
。例えば、指示デバイス２０の向きが変更されても、表示されるキャラクタは、その向き
の変更に追随して、指示デバイス２０内に表示される。
【００８８】
また、表示制御部２０６は、タッチパネル１０上に複数の指示デバイス２０が置かれた
場合であっても、各指示デバイス２０内に、その指示デバイスのＩＤ等に対応する所定の
キャラクタを表示することができる。
【００８９】
図２１は、指示デバイス２０の固有ＩＤを認識する例を説明するための図である。まず
、コード認識部２０４は、認識された導電性パターン２２の形状に基づいて、コード情報
を取得する。コード情報は、例えば、指示デバイス２０の固有ＩＤとする。これにより、
コード認識部２０４は、指示デバイス２０ごとに、固有ＩＤを取得することができる。
【００９０】
図２１に示す例では、タッチパネル１０の指示デバイス２０が配置される領域内に、各
指示デバイス２０に対応する固有ＩＤ（１０１〜１０３）が表示されている。実際は、表
示制御部２０６は、表示画面上に、この固有ＩＤに対応するキャラクタを、指示デバイス
２０の載置位置に表示するよう制御することができる（例えば図２０参照）。
【００９１】
図２２は、指示デバイス２０の認識と、タッチパネル２０との連動を説明するための図
である。実施形態におけるタッチセンサシステム１は、指示デバイス２０によるコード入
力とともに、指などによるタッチ入力も可能である。そのため、図２２に示すように、表
示制御部２０６は、指示デバイス２０の位置及び角度に基づいて、指示デバイス２０の位
置に関する領域に操作メニューＭ１０や、操作ボタンＢ１０を表示してもよい。図２２に
示す例では、表示された操作メニューＭ１０や操作ボタンＢ１０の操作がタッチパネル１
０を用いて検知され、その検知内容に応じた表示制御が表示制御部２０６により行われる
。
【００９２】
これにより、実施形態では、透過しない指示デバイス２０と比べて、指示デバイス２０
の領域内にキャラクタなどの表示物を表示することができ、指示デバイス２０により表示
内容が妨げられないため、表示画面を全面的に用いることができる。
【００９３】
特に、表示制御部２０６は、タッチパネル１０に載置された指示デバイス２０の導電性
パターン２２の下に、少なくとも表示物を表示することができる点が有益である。これに
より、ユーザは、透明の導電性パターン２２を介して表示画面に表示された表示物を視認
することができる。
【００９４】
また、指示デバイス２０の固有ＩＤに対応するキャラクタを、ゲームの進行に応じて表
示を変えたりすることも可能である。例えば、固有ＩＤに対応付けてゲームのステータス
情報などを関連付けておくことで、表示制御部２０６は、このステータス情報に応じてキ
ャラクタの表示を変更することができる。
【００９５】
また、指示デバイス２０が透明ではなく、ユーザが指示デバイス２０下に表示された表
示物を視認できなくても、指示デバイス２０の位置が検出されているため、表示制御部２
０６は、指示デバイス２０の下に表示される表示物を指示デバイス２０の位置に関連付け
て表示することなども可能である。また、表示制御部２０６は、表示される移動物が指示
デバイス２０の下を通る経路を予測される場合、移動物が指示デバイス２０の領域を迂回
するように表示制御することもできる。
【００９６】
他の例として、実施形態におけるタッチセンサシステム１をパズル表示などにも適用す
ることができる。例えば、表示制御部２０６は、タッチパネル１０に置かれた指示デバイ
ス２０の下の領域にパズルのピースを表示し、複数の指示デバイス２０の位置と向きとを
合わせ、タッチパネル１０上に並べて置くことで１つの絵柄になるようにすることができ
る。
【００９７】
このとき、同じ指示デバイス２０であっても、その固有ＩＤに対応付ける絵柄を変更す
ることにより、ユーザは異なる完成絵柄のパズルを楽しむことができる。
【００９８】
＜指示デバイスの形状例＞
次に、指示デバイス２０の形状例を説明する。図２３は、実施形態に用いられる指示デ
バイス２０の形状例を示す図である。図２３（Ａ）は、カード状の指示デバイス２０の一
例を示す図である。図２３（Ａ）に示す例では、指示デバイス２０のＺ方向の正の面（外
側面）に透明電極Ｅのパターンが設けられる。また、指示デバイス２０のＺ方向の負の面
（内側面）にも透明電極Ｅのパターンが設けられてもよい。
【００９９】
図２３（Ｂ）は、直方体状の指示デバイス２０の一例を示す図である。図２３（Ｂ）に
示す例では、指示デバイス２０のＺ方向の正の面（外側面）に透明電極Ｅのパターンが設
けられる。なお、この外側面をタッチパネル１０に対向するように載置するとき、直方体
の内部にハーフミラーやハーフプリズムを使用し、指示デバイス２０の下に表示された表
示物が、指示デバイス１０内又は上に表示物（例えばキャラクタ）が浮かびあがる（結像
される）ようにしてもよい。
【０１００】
また、この直方体の内部に多面的にハーフミラーやハーフプリズムを設けることで、３
６０度の各方向から立体的に見える表示物を表示するようにすることができる。その際、
表示制御部１０６は、直方体の指示デバイス２０内部の各面の下の領域に、それぞれに応
じた表示物を表示するようにする。例えば、キャラクタの前面、右側面、背面、左側面な
どをそれぞれの面のハーフミラーやハーフプリズムに合わせて表示される位置に表示制御
する。
【０１０１】
なお、指示デバイス２０として、他にも円柱や円錐、多角柱や多角錐、ぬいぐるみや人
形などでもよい。
【０１０２】
＜動作＞
次に、実施形態におけるタッチセンサシステム１の動作について説明する。図２４は、
実施形態における制御部６の処理の一例を示すフローチャートである。図２４に示すステ
ップＳ１０２で、制御部６は、タッチパネル１０の各交差点（各センサ）における静電容
量の変化を検知する。
【０１０３】
ステップＳ１０４で、制御部６は、所定の検出領域における静電容量の変化に基づき、
指示デバイス２０の導電性パターン２２の読取処理を行う。
【０１０４】
ステップＳ１０６で、制御部６は、所定の検出領域における静電容量の変化に基づき、
指などによるタッチを判定する処理を行う。導電性パターン２２と指タッチとは、検出領
域の大きさの違いや形状により区別することができる。
【０１０５】
図２５は、実施形態における表示制御処理の一例を示すフローチャートである。図２５
に示すステップＳ２０２で、処理端末８のパターン取得部２０２は、導電性パターン２２
を取得する。
【０１０６】
ステップＳ２０４で、コード認識部２０４は、導電性パターンの位置及び形状に基づき
、指示デバイス２０の位置及び角度、固有ＩＤなどを特定する。
【０１０７】
ステップＳ２０６で、表示制御部２０６は、特定された固有ＩＤに対応する画像（表示
物）を決定する。
【０１０８】
ステップＳ２０８で、表示制御部２０６は、決定した画像を、特定された位置及び角度
に基づいて、指示デバイス２０の下などの関連する領域に表示するよう制御する。
【０１０９】
これにより、指示デバイス２０により読み取られた導電性パターン２２に基づき、表示
画面上の表示を制御することができる。また、上述したように、表示制御部２０６は、操
作メニューなどを表示し、その操作内容に基づいて表示を制御することもできる。
【０１１０】
なお、図２４〜２５で説明した処理のフローに含まれる各処理ステップは、処理内容に
矛盾が生じない範囲で、任意に順番を変更して又は並列に実行することができるとともに
、各処理ステップ間に他のステップを追加してもよい。また、便宜上１ステップとして記
載されているステップは、複数ステップに分けて実行することができる一方、便宜上複数
ステップに分けて記載されているものは、１ステップとして把握することができる。
【０１１１】
以上、本願の開示する技術の実施形態について説明したが、本願の開示する技術は、上
記例に限定されるものではない。
【０１１２】
例えば、上述した実施例は、相互容量方式のタッチパネルについて説明したが、自己容
量方式のタッチパネルにおいても、上述した指示デバイスを適用することが可能である。
【０１１３】
なお、本発明において、「部」や「手段」、「装置」、「システム」とは、単に物理的
手段を意味するものではなく、その「部」や「手段」、「装置」、「システム」が有する
機能をソフトウェアによって実現する場合も含む。また、１つの「部」や「手段」、「装
置」、「システム」が有する機能が２つ以上の物理的手段や装置により実現されても、２
つ以上の「部」や「手段」、「装置」、「システム」の機能が１つの物理的手段や装置に
より実現されても良い。
【符号の説明】
【０１１４】
１  タッチセンサシステム
２  表示装置
４  制御基板
６  制御部
８  処理端末
１０  タッチパネル
２０  指示デバイス
２２  導電性パターン
１１４  生成部
２０２  パターン取得部
２０４  コード認識部
２０６  表示制御部
２０８  操作制御部
【図１】
2020102268.tif 000003
【図２】
2020102268.tif 000004
【図３】
2020102268.tif 000005
【図４】
2020102268.tif 000006
【図５】
2020102268.tif 000007
【図６】
2020102268.tif 000008
【図７】
2020102268.tif 000009
【図８】
2020102268.tif 000010
【図９】
2020102268.tif 000011
【図１０】
2020102268.tif 000012
【図１１】
2020102268.tif 000013
【図１２】
2020102268.tif 000014
【図１３】
2020102268.tif 000015
【図１４】
2020102268.tif 000016
【図１５】
2020102268.tif 000017
【図１６】
2020102268.tif 000018
【図１７】
2020102268.tif 000019
【図１８】
2020102268.tif 000020
【図１９】
2020102268.tif 000021
【図２０】
2020102268.tif 000022
【図２１】
2020102268.tif 000023
【図２２】
2020102268.tif 000024
【図２３】
2020102268.tif 000025
【図２４】
2020102268.tif 000026
【図２５】
2020102268.tif 000027